(57)【要約】【課題】本発明は、データ中継装置、通信装置及びそれらの方法を提供する。【解決手段】データ中継装置は、第１の送信元からの第１の変調モードの変調信号を復調する第１の復調ユニットと、第２の送信元からの、前記第１の変調モードよりも高次の第２の変調モードの変調信号を復調する第２の復調ユニットと、前記第１の送信元からの変調信号の変調モード及び前記第２の送信元からの変調信号の変調モードに従って、復調された前記第１の送信元からの変調信号を復調された前記第２の送信元からの変調信号と一緒に前記第２の変調モードのシンボルのコンステレーションにどのようにマッピングするかという規則である信号結合に必要なマッピング規則を提供する結合制御ユニットと、前記結合制御ユニットにより提供されたマッピング規則に従い、復調された前記第１の送信元からの変調信号及び復調された前記第２の送信元からの変調信号に対してデータ結合を実行するデータ結合ユニットと、を有する。【選択図】図８
2010187375.tif 000002
【特許請求の範囲】
【請求項１】
第１の送信元からの第１の変調モードの変調信号を復調する第１の復調ユニットと、
第２の送信元からの、前記第１の変調モードよりも高い変調次の第２の変調モードの変調信号を復調する第２の復調ユニットと、
前記第１の送信元からの変調信号の変調モード及び前記第２の送信元からの変調信号の変調モードに従って、復調された前記第１の送信元からの変調信号を復調された前記第２の送信元からの変調信号と一緒に前記第２の変調モードのシンボルのコンステレーションにどのようにマッピングするかという規則である信号結合に必要なマッピング規則を提供する結合制御ユニットと、
前記結合制御ユニットにより提供されたマッピング規則に従い、復調された前記第１の送信元からの変調信号及び復調された前記第２の送信元からの変調信号に対してデータ結合を実行するデータ結合ユニットと、
を有するデータ中継装置。
【請求項２】
前記マッピング規則は式又はテーブルによって表される、
ことを特徴とする請求項１記載のデータ中継装置。
【請求項３】
前記マッピング規則は、前記第２の変調モードのデータ・シンボルを得るために、ビットＸＯＲ演算を前記第１の変調モードの１つのデータ・シンボルの全てのビット及び前記第２の変調モードの１つのデータ・シンボルの一部又は全てのビットに対して実行する規則である、
ことを特徴とする請求項１記載のデータ中継装置。
【請求項４】
前記第１の送信元からの変調信号及び前記第２の送信元からの変調信号は、符号化信号であり、
当該データ中継装置は、
復調された前記第１の送信元からの変調信号を復号化する第１の復号化ユニットと、
該第１の復号化ユニットにより復号化された信号を符号化する第１の符号化ユニットと、
復調された前記第２の送信元からの変調信号を復号化する第２の復号化ユニットと、
該第２の復号化ユニットにより復号化された信号を符号化する第２の符号化ユニットと、
を更に有し、
前記データ結合ユニットは、前記第１の符号化ユニットからのデータを前記第２の符号化ユニットからのデータに結合する、
ことを特徴とする請求項１記載のデータ中継装置。
【請求項５】
第１の変調モードの変調信号又は該第１の変調モードより変調次の高い第２の変調モードの変調信号を送信する送信ユニットと、
前記第２の変調モードの第２の変調データと共に前記第１の変調モードの第１の変調データからの結合された第２の変調モードの結合データを受信し、該結合データから受信されるべき所望の信号を復調及び分離する復調分離ユニットと、
前記第１の変調モード、前記第２の変調モード及び前記送信ユニットにより送信された前記変調信号の変調モードが前記第１の変調モードか前記第２の変調モードかに従って、逆マッピング規則を提供する分離制御ユニットと、
を有し、
前記逆マッピング規則は、前記結合データ内のシンボルのコンステレーション内のコンステレーション点を受信されるべき所望の変調モードのビットにマッピングする規則であり、
前記復調分離ユニットは、前記分離制御ユニットにより決定された前記逆マッピング規則に従って、受信されるべき所望のデータを前記結合データから分離する、
ことを特徴とする通信装置。
【請求項６】
前記逆マッピング規則は式又はテーブルによって表される、
ことを特徴とする請求項５記載の通信装置。
【請求項７】
前記復調分離ユニットは、
受信信号に対してシンボル検出を実行する検出ユニットと、
前記逆マッピング規則に従って前記結合データから受信されるべき所望のデータのシンボルのコンステレーション点を分離するシンボル分離ユニットと、
受信されるべき所望のデータを得るために前記シンボル分離ユニットにより分離されたシンボルのコンステレーション点のビット値を判断する判断ユニットと、
を有する、
ことを特徴とする請求項５記載の通信装置。
【請求項８】
当該通信装置は、
受信された結合信号の変調モードの変調次が前記送信ユニットにより送信された変調信号の変調モードの変調次よりも高いか否かを決定する決定ユニット、
を更に有し、
前記復調分離ユニットは、受信した信号に対してシンボル検出を実行する検出ユニットと判断ユニットとシンボル分離ユニットとを有し、
前記決定ユニットが、受信したときに前記結合信号の変調モードの変調次が前記送信ユニットにより送信された変調信号の変調モードの変調次よりも高いと決定したとき、前記判断ユニットは前記検出ユニットにより検出されたシンボルのコンステレーション点のビット値を判断し、前記シンボル分離ユニットは前記逆マッピング規則及び該判断ユニットにより判断されたビット値に従って結合データから受信されるべき所望のデータを分離し、
前記決定ユニットが、受信したときに前記結合信号の変調モードの変調次が前記送信ユニットにより送信された変調信号の変調モードの変調次よりも高くないと決定したとき、前記シンボル分離ユニットは前記逆マッピング規則に従って前記結合データから受信されるべき所望のデータのシンボルのコンステレーション点を分離し、前記判断ユニットは受信されるべき所望のデータを得るために前記シンボル分離ユニットにより分離されたシンボルのコンステレーション点のビット値を判断する
ことを特徴とする請求項５記載の通信装置。
【請求項９】
前記逆マッピング規則は、最小ユークリッド距離の最大値を基準として決定されるか、最小ユークリッド距離の最大値及び最小ユークリッド距離のシンボル対の最小数を基準として決定される、
ことを特徴とする請求項５記載の通信装置。
【請求項１０】
第１の変調モードの変調信号又は該第１の変調モードより変調次の高い第２の変調モードの変調信号を送信する段階と、
前記第２の変調モードの第２の変調データと共に前記第１の変調モードの第１の変調データからの結合された第２の変調モードの結合データを受信する段階と、
前記第１の変調モード、前記第２の変調モード及び前記送信する段階で送信された前記変調信号の変調モードが前記第１の変調モードか前記第２の変調モードかに従って、信号の逆マッピング規則を提供する段階と、
該提供する段階で決定された前記逆マッピング規則に従って、受信されるべき所望のデータを前記結合データから分離する段階と、
を有し、
前記逆マッピング規則は、前記結合データ内のシンボルのコンステレーション内のコンステレーション点を受信されるべき所望の変調モードのビットにマッピングする規則である、
ことを特徴とする通信方法。
【発明の詳細な説明】
【技術分野】
【０００１】
本発明は、通信システムにおける中継技術に関する。本発明は、通信システムにおける変調シンボルを結合及び分離する技術に関する。
【背景技術】
【０００２】
送信チャネルの周波数帯域資源は通信システム内で常に制限されるので、通信システムのある最も重要な指標は、伝送効率を向上しようとすることである。通信システムの耐干渉性能及びスペクトル利用率、チャネル符号化及びシンボル復調技術が、通信システムにおいて広く用いられている。
【０００３】
直交振幅変調（ＱＡＭ）は、通信システムにおいて頻繁に利用される変調モードである。ＱＡＭは、振幅を位相と結合する変調技術であり、情報ビットを伝送するために搬送波の振幅と位相を同時に利用するので、コンステレーション点の間の最小距離が同一の場合に、高い周波数帯域利用率が達成されうる。他のデジタル変調モードと同様に、ＱＡＭ変調シンボル・セットは、好都合なことにコンステレーションにより表現でき、各コンステレーション点はシンボル・セット内の１つの点に対応する。
【０００４】
他方で、中継システムに関する例では、中継リンクは、ネットワーク内の移動又は静止中継局（ＲＳ）及び静止基地局又は静止ＲＳの間に確立される。移動端末（移動局とも称される）は、該移動端末が属する移動又は静止中継局の中継リンクを利用し、基地局と通信する。ＲＳは、ネットワーク装置間で通信可能であり、複数の移動端末の情報を交換し、端末と基地局との間で通信データを配信するので、ネットワーク装置間の通信リンクの効率の最大化を達成すること及びより良い通信品質を提供することが可能である。
【０００５】
中継局は、主に２つのモードで信号を処理する。最も単純なモードは、「ＡＦ（Amplify  and  Forward）型」である。ＡＦ型では、中継局は、特定の係数に従って受信信号を単に増幅する。もう１つのモードは、「ＤＦ（Decoder  and  Forward）型」と称される。ＤＦ型では、中継局は、信号を復調し、元の情報として復号化し、そして送信のために再び符号化及び復調する。このモードは、チャネル条件が良好な場合に信号品質を向上させうるが、中継局が誤って復号化した場合には、転送された信号内にエラー伝搬が存在し、移動局では復旧することが不可能である。特に、「Estimate  and  Forward」モードもある。
【０００６】
協調的ダイバーシティと称される別の技術では、データの受信及び転送の両方が中継され、移動端末を介して向上される。また、信号を処理するための前述のＡＦ及びＤＦの２つのモードもある。
【０００７】
データを受信及び転送する前述のメカニズムでは、データ受信処理及び転送処理は、別個に又は混合で実行されうる。図１−３は、３個の比較的標準的な転送モードをそれぞれ示す。
【０００８】
図１は、従来の双方向中継処理を示す。図１に示されるように、基地局及び移動局は、データを中継局へ異なるタイミング（周波数）でそれぞれ送信する。次に中継局は、データを異なるタイミング（周波数）で基地局及び移動局へそれぞれ転送する。ここでは、全部で４個の期間が必要である。特に、図１に示された例では、第１のタイムスロットで、基地局は、移動局へ転送されるべきデータを中継局へ送信し、中継局はデータを受信する。第２のタイムスロットで、移動局は、基地局へ転送されるべきデータを中継局へ送信し、中継局はデータを受信する。第３のタイムスロットで、中継局は、第１のタイムスロットで基地局から受信したデータを移動局へ転送する。第４のタイムスロットで、中継局は、第２のタイムスロットで移動局から受信したデータを基地局へ転送する。
【０００９】
図２は、分離受信及び結合送信のモードを示す。図２に示されるように、基地局及び移動局は、データを中継局へ異なるタイミング（周波数）でそれぞれ送信する。また、中継局は、２個のデータ・ブランチを受信し、次に基地局及び移動局へ同時に（又は同一の周波数で）送信されるように該２個のデータ・ブランチを１個のデータ・ブランチに結合する。中継局により転送されたデータを受信すると、基地局及び移動局は該データを復号化又は復元する。全部で３個の期間が必要である。特に、図２に示された例では、第１のタイムスロットで、基地局は、移動局へ転送されるべきデータを中継局へ送信し、中継局はデータを受信する。第２のタイムスロットで、移動局は、基地局へ転送されるべきデータを中継局へ送信し、中継局はデータを受信する。第３のタイムスロットで、中継局は、第１のタイムスロットで基地局から受信したデータを第２のタイムスロットで移動局から受信したデータと結合し、次に該データを基地局及び移動局へ同時に（又は同一の周波数で）転送する。
【００１０】
図３は双方向ハイブリッド型転送モードを示す。図３では、基地局及び移動局は、データを中継局へ同一のタイミング（周波数）で送信する。中継局は、データを受信し処理した後に、中継データを同時に（又は同一の周波数で）基地局及び移動局の両方へ転送する。ここでは、全部で２個の期間が必要である。特に、図３に示された例では、第１のタイムスロットで、基地局は移動局へ転送されるべきデータを中継局へ送信し、同時に、移動局は基地局へ転送されるべきデータを中継局へ送信する。中継局は、基地局からのデータと移動局からのデータを同時に受信する。第２のタイムスロットで、中継局は、第１のタイムスロットで基地局から受信したデータと移動局から受信したデータとを結合し、次に該データを基地局及び移動局へ同時に（又は同一の周波数で）転送する。
【００１１】
図１−３から分かるように、双方向ハイブリッド型転送モードは、最も少ないチャネル資源（期間）しか占有せず、スペクトル利用率が比較的高いが、該モードのデータ処理は比較的複雑である。
【００１２】
従来のＤＦ型では、中継局のハイブリッド型処理は、基地局及び移動局からの復号化データにビットＸＯＲ演算を行い、送信のためにその後に復号化される結合信号に編成する。これは、移動局から中継局へ及び基地局から中継局への２つのリンクの符号化変調モードが同一であることを必要とする。２つのリンクの信号対雑音比が大きく相違しないとき、この解決策は現実的である。しかし、移動体チャネルの時間変動により、２つのリンクの信号対雑音比が比較的大きく相違するとき、この方法はスループットのある程度の損失を引き起こす。
【００１３】
図４は、Decoder  and  Forward（ＤＦ型）を実行する従来の中継システムを概略的に説明するブロック図である。図４に示されるように、ＤＦ型を実行する中継システムは、主に、中継局送信機１００−１、移動局送信機１０１−１、基地局−中継局チャネル１０２、移動局−中継局チャネル１０３、中継局１０４、基地局受信機１００−２、及び移動局受信機１０１−２を有する。基地局送信機１００−１及び移動局送信機１０１−１から送信されたデータは、途中で雑音を混合され、チャネル１０１及びチャネル１０２を介して中継局１０４に到達する。図４に示されるように、基地局からの雑音を混合されたデータはＡにより示され、移動局からの雑音を混合されたデータはＢにより示される。中継局１０４は、基地局からの信号Ａ及び移動局からの信号Ｂを受信した後、これらの受信した信号を中継局の送信信号（Ｃ）に結合し、次に該信号Ｃを基地局及び移動局へそれぞれ転送する。基地局及び移動局は、中継局からの結合信号をそれぞれ検出及び受信する。
【００１４】
図５は、中継局１０４におけるデータ処理を概略的に説明するブロック図である。図５に示されるように、基地局及び移動局からの信号は、最初にそれぞれ受信（例えば復調及び復号化を含む）される。中継局の受信モードは、独立受信（つまり、図２に示されたモードのように異なるタイミング／周波数で基地局及び移動局からの情報をそれぞれ受信すること）又は同一時間／同一周波数での受信（図３に示されたモードのような）の何れでもよいので、本願明細書では定められない。
【００１５】
中継局は、データを受信した後に結合処理を実行する。１つの標準的なデータ結合モードは、ビットＸＯＲである。例えば、中継局により受信された２つのデータ・ブランチがそれぞれ｛ａ０，ａ１，ａ２，ａ３，．．．｝及び｛ｂ０，ｂ１，ｂ２，ｂ３，．．．｝のように順序付けられる場合、図５の結合装置１０４０の演算は、次式の通りである。
【数１】
2010187375.tif 000003
ここで、
【数２】
2010187375.tif 000004
はＸＯＲ演算の記号である。結合されたビットは、記録され変調された後に送信される。
【００１６】
基地局及び移動局の受信端において、中継局により転送される結合信号の１つのブランチは、ローカルの元のデータであるので（つまりローカルに送信された信号であり、例えば基地局に関しては雑音を含まない信号Ａ、移動局に関しては雑音を含まない信号Ｂである）、信号の別のブランチ（つまり、受信されるべき所望の信号）は、データ転送を達成するために、受信したデータ及びローカルの元のデータ（以下ではローカル基準信号とも表す）にＸＯＲ演算を実行することにより復元されうる。
【００１７】
図６は、基地局及び移動局の検出及び受信処理を示す。図１に示された一般的な受信機システムと比べると、ローカル分離装置２０１が復号化ユニットの下流に追加されている。図５のＸＯＲ演算に対応する分離処理は、以下の通りである。
【数３】
2010187375.tif 000005
ここで、
【数４】
2010187375.tif 000006
は受信した結合情報のビット、
【数５】
2010187375.tif 000007
は分離後に受信されるべき所望の情報のビット（所望の情報ビットとも表される）である。また、ｂｉはローカル情報ビット（基準情報ビット）であり、ローカル信号格納ユニット２０２により提供される。
【００１８】
以下に本発明の関連文献を列挙する。これらの関連文献は、参照されることにより本願発明に組み込まれ、本願発明の詳細な説明に記載されたものと解する。
【先行技術文献】
【特許文献】
【００１９】
【特許文献１】米国特許出願ＵＳ０８０２１９２５１  Ａ１号明細書、Xue  Feng他、Combining  packets  in  physical  layer  for  two-way  relaying
【特許文献２】米国特許出願ＵＳ０７０２１７５４１  Ａ１号明細書、Liu、Zhixin他、Compress-forward  Coding  with  N-PSK  Modulation  for  the  Half-duplex  Gaussian  Relay  Channel
【非特許文献１】P.Larsson、N.Johansson、K.E.Sunell、Coded  bi-directional  relaying、第５回無線アドホック・ネットワークに関するスカンジナビアＷＳ（AdHoc’０５）、ストックホルム、スウェーデン、２００５年５月
【非特許文献２】Petar  Popovski他、Wireless  Network  Coding  by  Amplify-and-Forward  for  Bi-Directional  Traffic  Flows、IEEE  Communication  Letters、Ｖｏｌ．１１、Ｎｏ．１、２００７年１月
【非特許文献３】Sachin  Katti他、XORs  in  The  Air:  Practical  Wireless  Network  Coding、SIGCOMM’０６、２００６年９月１１−１５日、ピサ、イタリア
【発明の概要】
【発明が解決しようとする課題】
【００２０】
従来のＸＯＲ演算では２つのビット列の長さが同じである必要があり、これはそれらビット列の変調及び符号化スキームが同一であることを必要とした。しかしながら、２つのリンクの信号対雑音比が比較的大きく異なるとき、変調及び符号化スキームを粗悪な信号対雑音比を有するリンクに従って決定することが可能である。そしてこれはシステムのスループットを低下させてしまう。
【００２１】
本発明は、従来技術に存在する１又は複数の問題点を克服するため及び少なくとも１つの有利な選択を提供するために、上述の問題を鑑みて提案される。
【課題を解決するための手段】
【００２２】
上述の目的を達成するために、本出願は以下の本発明の態様を提供する。
【００２３】
第１の態様によると、データ中継装置が提供される。当該データ中継装置は、第１の送信元からの第１の変調モードの変調信号を復調する第１の復調ユニットと、第２の送信元からの、前記第１の変調モードよりも高次の第２の変調モードの変調信号を復調する第２の復調ユニットと、前記第１の送信元からの変調信号の変調モード及び前記第２の送信元からの変調信号の変調モードに従って、復調された前記第１の送信元からの変調信号を復調された前記第２の送信元からの変調信号と一緒に前記第２の変調モードのシンボルのコンステレーションにどのようにマッピングするかという規則である信号結合に必要なマッピング規則を提供する結合制御ユニットと、前記結合制御ユニットにより提供されたマッピング規則に従い、復調された前記第１の送信元からの変調信号及び復調された前記第２の送信元からの変調信号に対してデータ結合を実行するデータ結合ユニットと、を有する。
【００２４】
第２の態様：前記マッピング規則は式又はテーブルによって表される、ことを特徴とする第１の態様のデータ中継装置。
【００２５】
第３の態様：前記マッピング規則は、前記第２の変調モードのデータ・シンボルを得るために、前記第１の変調モードの１つのデータ・シンボルの全てのビット及び前記第２の変調モードの１つのデータ・シンボルの一部又は全てのビットに対してビットＸＯＲ演算を実行する規則である、ことを特徴とする第１の態様のデータ中継装置。
【００２６】
第４の態様：前記第１の送信元からの変調信号及び前記第２の送信元からの変調信号は、符号化信号であり、当該データ中継装置は、復調された前記第１の送信元からの変調信号を復号化する第１の復号化ユニットと、該第１の復号化ユニットにより復号化された信号を符号化する第１の符号化ユニットと、復調された前記第２の送信元からの変調信号を復号化する第２の復号化ユニットと、該第２の復号化ユニットにより復号化された信号を符号化する第２の符号化ユニットと、を更に有し、前記データ結合ユニットは、前記第１の符号化ユニットからのデータを前記第２の符号化ユニットからのデータに結合する、ことを特徴とする第１の態様のデータ中継装置。
【００２７】
第５の態様：第１の変調モードの変調信号又は該第１の変調モードの変調次より高い変調次の第２の変調モードの変調信号を送信する送信ユニットと、前記第２の変調モードの第２の変調データと共に前記第１の変調モードの第１の変調データからの結合された第２の変調モードの結合データを受信し、該結合データから受信されるべき所望の信号を復調及び分離する復調分離ユニットと、前記第１の変調モード、前記第２の変調モード及び前記送信ユニットにより送信された前記変調信号の変調モードが前記第１の変調モードか前記第２の変調モードかに従って、逆マッピング規則を提供する分離制御ユニットと、を有し、前記逆マッピング規則は、前記結合データ内のシンボルのコンステレーション内のコンステレーション点を受信されるべき所望の変調モードのビットにマッピングする規則であり、前記復調分離ユニットは、前記分離制御ユニットにより決定された前記逆マッピング規則に従って、受信されるべき所望のデータを前記結合されたデータから分離する、ことを特徴とする通信装置。
【００２８】
第６の態様：前記逆マッピング規則は式又はテーブルによって表される、ことを特徴とする第５の態様のデータ中継装置。
【００２９】
第７の態様：前記復調分離ユニットは、受信信号に対してシンボル検出を実行する検出ユニットと、前記逆マッピング規則に従って前記結合データから受信されるべき所望のデータのシンボルのコンステレーション点を分離するシンボル分離ユニットと、受信されるべき所望のデータを得るために前記シンボル分離ユニットにより分離されたシンボルのコンステレーション点のビット値を判断する判断ユニットと、を有する、ことを特徴とする第５の態様の通信装置。
【００３０】
第８の態様：当該通信装置は、  受信された結合信号の変調モードが前記送信ユニットにより送信された変調信号の変調モードよりも低次か否かを決定する決定ユニット、を更に有し、前記復調分離ユニットは、受信信号に対してシンボル検出を実行する検出ユニットと判断ユニットとシンボル分離ユニットとを有し、前記決定ユニットが、受信した前記結合信号の変調モードが前記送信ユニットにより送信された変調信号の変調モードよりも高次であると決定したとき、前記判断ユニットは前記検出ユニットにより検出されたシンボルのコンステレーション点のビット値を判断し、前記シンボル分離ユニットは前記逆マッピング規則及び該判断ユニットにより判断されたビット値に従って結合データから受信されるべき所望のデータを分離し、前記決定ユニットが、受信したときに前記結合信号の変調モードが前記送信ユニットにより送信された変調信号の変調モードよりも高次でないと決定したとき、前記シンボル分離ユニットは前記逆マッピング規則に従って前記結合データから受信されるべき所望のデータのシンボルのコンステレーション点を分離し、前記判断ユニットは受信されるべき所望のデータを得るために前記シンボル分離ユニットにより分離されたシンボルのコンステレーション点のビット値を判断する、ことを特徴とする第５の態様の通信装置。
【００３１】
第９の態様：前記逆マッピング規則は、最小ユークリッド距離の最大値を基準として決定されるか、最小ユークリッド距離の最大値及び最小ユークリッド距離のシンボル対の最小数を基準として決定される、ことを特徴とする第５の態様の通信装置。
【００３２】
第１０の態様は、通信方法を提供する。当該通信方法は、第１の変調モードの変調信号又は該第１の変調モードより変調次の高い変調次の第２の変調モードの変調信号を送信する段階と、前記第２の変調モードの第２の変調データと共に前記第１の変調モードの第１の変調データから結合された第２の変調モードの結合データを受信する段階と、前記第１の変調モード、前記第２の変調モード及び前記送信する段階で送信された前記変調信号の変調モードが前記第１の変調モードか前記第２の変調モードかに従って、信号の逆マッピング規則を提供する段階と、該提供する段階で決定された前記逆マッピング規則に従って、受信されるべき所望のデータを前記結合データから分離する段階と、を有し、前記逆マッピング規則は、前記結合データ内のシンボルのコンステレーション内のコンステレーション点を受信されるべき所望の変調モードのビットにマッピングする規則である、ことを特徴とする。
【００３３】
第１１の態様によると、データ中継方法が提供される。当該データ中継方法は、第１の送信元からの第１の変調モードの変調信号を復調する段階と、第２の送信元からの、前記第１の変調モードよりも変調次の高い第２の変調モードの変調信号を復調する段階と、前記第１の送信元からの変調信号の変調モード及び前記第２の送信元からの変調信号の変調モードに従って、信号結合の実行に必要なマッピング規則を提供する段階と、該提供する段階で提供された前記マッピング規則に従い、復調された前記第１の送信元からの変調信号及び復調された前記第２の送信元からの変調信号に対してデータ結合を実行する段階と、を有し、前記マッピング規則は、復調された前記第１の送信元からの変調信号を復調された前記第２の送信元からの変調信号と一緒に前記第２の変調モードのシンボルのコンステレーションにどのようにマッピングするかという規則である、ことを特徴とする。
【００３４】
第１２の態様：前記マッピング規則は式又はテーブルによって表される、ことを特徴とする第１１の態様のデータ中継方法。
【００３５】
第１３の態様：前記第１の変調モードはＱＰＳＫ変調であり、前記第２の変調モードは１６ＱＡＭであり、前記マッピング規則は
【数６】
2010187375.tif 000008
である、ことを特徴とする第１１の態様のデータ中継方法。
【００３６】
本発明は、コンピュータ可読プログラムを更に提供する。当該コンピュータ可読プログラムは、コンピュータ又は他の論理装置により実行されると、以上及び以下に記載された種々の方法又は種々の方法の１又は複数の特定の段階を実現可能である。コンピュータ又は論理装置は、例えばパーソナル・コンピュータ、ＰＤＡ、携帯電話機、スマート・フォン等である。
【００３７】
本発明は、コンピュータ可読媒体を更に提供する。当該コンピュータ可読媒体は、前述のコンピュータ可読プログラムを格納している。可読媒体は、例えばＣＤ、ＤＶＤ、フラッシュ、磁気ディスク、磁気テープ、ハード・ディスク・ドライブ、ＲＯＭ等である。
【発明の効果】
【００３８】
本発明の実施形態によると、結合送信を実行すること及び異なる変調モードからの変調シンボルの２つのブランチを復号化分離することが可能である。従って、２つのリンクのデータ送信レートは、信号対雑音比に従って適応して変化し、それによりシステムのスループットを向上させることが可能である。本発明による方法及び装置は、信号を結合及び分離する必要のある、中継転送システム内で又は通信システム内で用いられうる。
【図面の簡単な説明】
【００３９】
【図１】４タイムスロットの従来の中継転送システムを示す。
【図２】３タイムスロットにより個々に信号を受信し結合して信号を送信する中継転送システムを示す。
【図３】２タイムスロットにより、同時に信号を受信し、結合して信号を転送する中継システムを示す。
【図４】従来技術に従って復号し及び転送する中継システムを概略的に説明するブロック図である。
【図５】従来技術に従う中継局におけるデータ処理を概略的に説明するブロック図である。
【図６】基地局及び移動局の検出及び受信処理を示す。
【図７】２個のＱＰＳＫシンボルのＸＯＲにより生じたコンステレーションの変位を視覚的に示す。
【図８】本発明の第１の実施形態による中継局の機能を概略的に示すブロック図である。
【図９】本発明の一実施形態によるデータ分離装置を示すブロック図である。
【図１０】ＱＰＳＫ−１６ＱＡＭの結合中の１６ＱＡＭコンステレーションのマッピング図を示す。
【図１１】ＱＰＳＫ−１６ＱＡＭの結合中のＱＰＳＫコンステレーションのマッピング図を示す。
【図１２】ＱＡＭコンステレーションの判断原理を概略的に示す。
【図１３】中継局のコードレス・システムのシンボルの結合を示す。
【図１４】コードレス・システムの結合データの受信及び検出処理を示す。
【図１５】ＱＰＳＫ−１６ＱＡＭの結合のマッピング図の例を示す。
【図１６】ＱＰＳＫ−１６ＱＡＭの結合のマッピング図の例を示す。
【図１７】ＱＰＳＫ−１６ＱＡＭの結合のマッピング図の例を示す。
【図１８】ＱＰＳＫ−１６ＱＡＭを結合する異なるモード間のパケット誤り率の性能の比較を示す。
【図１９】本発明の一実施形態によるデータ中継方法を示すフローチャートである。
【図２０】本発明の一実施形態によるデータ分離方法を示すフローチャートである。
【発明を実施するための形態】
【００４０】
本発明の好適な実施形態を添付の図面に示す。図面は詳細な説明の一部であり、詳細な説明と共に本発明の原理、特徴及び特性を更に詳細に明確にする。
【００４１】
本発明の特定の実施形態は、添付の図面を参照し以下に詳細に説明される。
【００４２】
本発明の実施形態は、中継局と基地局との間のリンク条件が中継局と移動局との間のリンク条件と異なる環境を考慮する。本発明によると、中継局に接続された各リンクの現実の環境に従って個々の適正な変調及び符号化スキームを選択することが可能である。換言すると、各リンクの変調及び符号化スキームは、他のリンクの変調及び符号化スキームと異なり、それによりシステムのスループットを向上させうる。
【００４３】
通信システム内の送信機の変調及び符号化スキーム（ＭＣＳ）は、チャネル推定の結果に従って決定され選択される。リンクの信号対雑音比（ＳＮＲ）は、チャネル推定の結果を得るために、トレーニング・シーケンス又はパイロットを推定することにより分かる。次に、適正な変調及び符号化スキームは、パケット誤り率の特定の要件（例えば、パケット誤り率が０．１であることが要求される）に従って選択される。異なる変調及び符号化スキームの組み合わせは、それらの信号対雑音比が異なるとき、異なるパケット誤り率を有するので、送信端はパケット誤り率の要件を満たす条件で最大スループットを有するＭＣＳの組を選択する。送信機のＭＣＳフォーマットは、通常、シグナリング部で受信端に通知される。シグナリングは、専用の周波数帯を介し又は合意されたフォーマットのデータ・パケットの始めの数ユニットを介して受信端へ送信されうる。
【００４４】
本発明では、基地局から中継局へ及び移動局から中継局への２つのリンクの信号対雑音比が大きく相違しないとき、同一の変調及び符号化スキームが用いられる。しかし、２つのリンクのチャネルが互いに大きく相違するとき（例えば、それらのチャネルの信号対雑音比が互いに大きく相違するとき）、２つのリンクは異なる変調及び符号化スキーム（ＭＣＳ）を用い、チャネル資源を十分に活用する。本願明細書では、２つのリンクで用いられるより高次の変調スキームは、高次変調と称される。また、高次変調により変調された信号は、高次変調信号と称される。２つのリンクで用いられるより低次の変調は、低次変調と称される。また、低次変調により変調された信号は、低次変調信号と称される。
【００４５】
以下に、基地局−中継局及び移動局−中継局の２つのリンクが異なる変調及び符号化スキームを用いるときに、本発明の実施形態による中継局により受信された２つのデータ・ブランチの処理を説明する。
【００４６】
図８は、本発明の第１の実施形態による中継局を概略的に示すブロック図である。図８に示すように、本発明の第１の実施形態による中継局は、第１の復調ユニット８０１、第２の復調ユニット８０２、第１の復号化ユニット８０３、第２の復号化ユニット８０４、第１の符号化ユニット８０５、第２の符号化ユニット８０６、結合制御ユニット８０７、データ結合ユニット８０８、変調ユニット８０９、及び送信ユニット８１０を有する。
【００４７】
本発明による中継局では、第１の復調ユニット８０１及び第１の復号化ユニット８０３は、先ず、基地局からの信号（例えば、雑音を有する信号Ａ）を復調及び復号化する。他方で、第２の復調ユニット８０２及び第２の復号化ユニット８０４は、移動局からの信号（例えば、雑音を有する信号Ｂ）を復調及び復号化する。
【００４８】
結合制御ユニット８０７は、用いられるべき符号化及び変調スキームを決定し、マッピング規則、つまりビットをシンボルにマッピングする規則、換言するとどのようにビットがマッピングされ結合されてシンボルになるかを決定する。代替の実施形態では、結合制御ユニット８０７は、更に、符号化モードを決定し、用いられるべき決定された符号化モードを第１の符号化ユニット８０５、第２の符号化ユニット８０６及び送信ユニット８１０に指示する。特に、結合制御ユニット８０７は、基地局からのデータ変調モードを移動局からのデータ変調モードと比較し、高次変調を有する符号化及び変調スキームを用いられるべき符号化及び変調スキームとして得て、動作する。変調次の増大する順は、例えばＢＰＳＫ→ＱＰＳＫ→１６ＱＡＭ→６４ＱＡＭである。他方で、結合制御ユニット８０７は、基地局からのデータのデータ変調モード及び移動局からのデータのデータ変調モードに従って、ルックアップ・テーブルの方法を用いて、用いられるべき符号化及び変調スキームを決定してよい。このような環境下で、ルックアップ・テーブルの方法で用いられるテーブルは、３個のフィールドを有する。例えば、あるフィールドは基地局からのデータのデータ符号化及び変調スキームに対応し、あるフィールドは移動局からのデータのデータ符号化及び変調スキームに対応し、あるフィールドは用いられるべき符号化及び変調スキームに対応する。
【００４９】
第１の符号化ユニット８０５は、第１の符号化ユニット８０３により符号化されたデータを結合制御ユニット８０７により決定された符号化モードに従って符号化し、該符号化データをデータ結合ユニット８０８へ送信する。第２の符号化ユニット８０６は、第２の復号化ユニット８０４により復号化されたデータを結合制御ユニット８０７により決定された符号化モードに従って符号化し、該符号化データをデータ結合ユニット８０８へ送信する。
【００５０】
データ結合ユニット８０８は、結合制御ユニット８０７からのマッピング規則に従って第１の符号化ユニット８０５からのデータを第２の符号化ユニット８０６からのデータと結合し、該結合データを変調ユニット８０９へ送信する。２つのデータ・ブランチの変調及び符号化スキームが同一のとき、結合制御ユニット８０７からのマッピング規則は、従来のマッピング規則と同一であり、データ結合ユニット８０８は従来のデータ結合方法と同一のデータ結合方法を用いてもよい。従って本願明細書では詳細に説明しない。２つのデータ・ブランチの変調及び符号化スキームが異なるとき、結合制御ユニット８０７からのマッピング規則は、従来のマッピング規則と異なり、従ってデータ結合ユニット８０８の動作は従来の動作と異なる。これらを以下に更に詳細に説明する。
【００５１】
変調ユニット８０９は、結合制御ユニット８０７により決定された変調モードに従ってデータ結合ユニット８０８からの結合データを変調し、該変調されたデータを送信ユニット８１０へ送信する。送信ユニット８１０は、変調ユニット８０９からのデータを送信し、結合制御ユニット８０７により与えられた符号化及び変調スキームを送信する。
【００５２】
留意すべき点は、上述の説明では、図８の第１の符号化ユニット８０５及び第２の符号化ユニット８０６は、元のデータの符号化モードと同一の符号化モードを用いてもよいし、新たな符号化モードを用いてもよいことである。元のＭＣＳが用いられる場合、中継局は受信したデータを、元のデータと同一のフォーマットで記録し、次に該データを結合し、次に該結合したデータを変調する。このとき、中継される結合データの受信では、ローカル信号の変調及び符号化スキームは基地局及び移動局の受信端に知られており、所望の信号は結合信号から分離されるだけなので、中継局は２つの受信端にシグナリング部での結合信号の変調及び符号化スキームを通知すれば十分である。中継局が、チャネル品質に従って、受信した２つのブランチ又はそれらのうちの１つのブランチに新たな変調及び符号化スキームを用いる場合、変更された変調及び符号化スキームは、２つの受信端に通知されるべきであり、これはシグナリング部でも通知される。このような環境下では、受信端はシグナリング部を通じて２つのデータ・ブランチの２つの変調及び符号化スキームを知り、データの復元及び分離処理中にローカル・データ（つまり、転送されたローカル・デ―タ）に変調及び符号化を２回実行することにより、ローカル信号を得る。例えば、基地局と中継局との間のリンクのデータ変調及び符号化スキームはＭＳＣ１であり、移動局と基地局との間のリンクの変調及び符号化スキームはＭＳＣ２であるが、中継局は２つのデータ・ブランチの変調及び符号化スキームをそれぞれ（基地局からのデータに対して）ＭＳＣ３及び（移動局からのデータに対して）ＭＳＣ４に受信後に変更する。変調及び符号化スキームが変更された後、マッピング規則及びデータ結合が、新たなスキームに従って実行される（つまり、ＭＳＣ３及びＭＣＳ４の変調データの結合）。移動局の受信端では、結合データが受信されたとき、ローカル基準信号は、ローカルの元のビット・データに基づきＭＣＳ４に従って生成された符号化及び変調された基準信号であり、結合データの分離及び受信は、ＭＣＳ３に従ったデータ復号化及び復調により実行される。
【００５３】
先ず、元のＭＣＳを用いた結合の特定の環境が与えられる。基地局−中継局リンクが１６ＱＡＭ−１／２モードを用いる場合、中継局−移動局リンクは低次変調であるＱＰＳＫ−１／２モードを用いるが、中継局がデータを受信した後、入力信号の符号化モードは第１の符号化ユニット８０５及び第２の符号化ユニット８０６に対して変更されない。つまり、図８の第２の符号化ユニット８０６は、第２の復号化ユニット８０４が復号化するのと逆の処理により符号化する。また、第１の符号化ユニット８０５も、第１の復号化ユニット８０３が復号化するのと逆の処理により符号化する。
【００５４】
中継局が、実際のチャネル品質要件に従って既に受信したデータのＭＣＳを変更するとき、例えば基地局と中継局との間のリンクが１６ＱＡＭ−１／２符号化モードを用い、一方で中継局と移動局との間のリンクがＱＰＳＫ−１／２モードを用いる場合、中継局がデータを受信した後、元のＱＰＳＫ−１／２モードは用いられず、第２の符号化ユニット８０６ではＱＰＳＫ−３／４に変更されてよい。このとき、第２の符号化ユニット８０６は３／４符号化に変更する（つまり、第２の符号化ユニット８０６における処理は第２の符号化ユニット８０４に関して逆の処理ではない）。
【００５５】
留意すべき点は、本発明による第１の復号化ユニット８０５及び第２の符号化ユニット８０６は、常に元のデータと同一の符号化モードを用いることができる。この場合には、結合制御ユニット８０７は、変調モードを単に決定できる。
【００５６】
符号化されたデータは、結合及びその後の処理のためにデータ結合ユニット８０８へ送信される。
【００５７】
中継局が異なるＭＣＳデータに対してデータ結合を実行するとき、２つのリンクの結合データのシンボル数は等しいべきである。２つのリンクのシンボル数が等しくない場合、結合及び転送処理のために、より多くのデータ・トラフィックを有するリンクのデータの一部をより少ないデータ・トラフィックを有するリンクのデータの次のフレームと共に中継局に格納することが可能である。換言すると、シンボル数の等化が中継局内で実現される。従って、以下の段落では、２つのリンクの結合されるべきデータのシンボル数は等しいとする。
【００５８】
異なる方法で変調されたデータの２つのブランチの結合処理は、変調シンボルを基本単位として見なす。次に、結合データは、変調のために変調ユニット９０８に入力され、中継局により基地局及び移動局へ転送される。結合データの変調モードは、信号の２つのブランチのうちのより高い変調次を用いる。例えば、上述のように、変調次の増大する順は、ＢＰＳＫ→ＱＰＳＫ→１６ＱＡＭ→６４ＱＡＭである。
【００５９】
データ結合ユニット８０８は、結合制御ユニット８０７により提供されたマッピング規則に従ってデータの結合を実行する。マッピング規則は、例えば、ＸＯＲ演算により実現されるか、又は式によっては表現されなくてもよい。この場合、マッピング規則は、例えば以下に説明されるように表の形式で提示されてもよい。結合制御ユニット８０７により提供されるマッピング規則がＸＯＲ演算により実現される状況を以下に説明する。また結合制御ユニット８０７の処理を以下に記載する。あるリンクの変調モードがＱＰＳＫ（第１の変調モードに対応する）であり、別のリンクの変調モードが１６ＱＡＭ（第２の変調モードに対応する）であるとすると、これらの変調モードに従うある変調シンボルが対応するビット・シーケンスは、それぞれ｛ａ０，ａ１｝及び｛ｂ０，ｂ１，ｂ２，ｂ３｝である。結合後の変調は１６ＱＡＭモードを用い、以下の幾つかのＸＯＲモードはデータ結合ユニット８０８で用いられてよい。
【数７】
2010187375.tif 000009
式（３）乃至（６）により得られる結合データ｛ｃ０，ｃ１，ｃ２，ｃ３｝は、１６ＱＡＭコンステレーションである。
【００６０】
この結合モードは、他の変調データにも適用可能である。例えば、ＢＰＳＫ及びＱＡＭ変調の組み合わせに関しては、結合後のデータ・フォーマットは表１に示される。表１に示されない８ＰＳＫのような他の変調モードの原理は、表１の原理と同様である。つまり、低次で変調された１つのデータ・シンボルの全てのビット及び高次で変調された１つのデータ・シンボルの一部又は全てのビットは、ビットＸＯＲ演算を実行され、高次で変調された１つのシンボルを得る。
【００６１】
留意すべき点は、以上の説明で、結合制御ユニット８０７は用いられるべき変調モードを決定し、信号の２つのブランチの変調モードに従ってマッピング規則を決定することである。
【００６２】
留意すべき点は、ビットＸＯＲは、マッピング規則を実現する唯一のモードであるが、他のモードを用いて、例えば他のビット処理のモードにより、異なる変調モードのデータ結合を実行することも可能である。
［表１］異なる変調モードのデータ結合の結果
【表１】
2010187375.tif 000010
【００６３】
データ結合ユニットにより得られたデータは結合データとして表され、結合データのシンボルは結合シンボルとして表される。以上のように、本願明細書による方法は、１つの変調されたデータ・シンボルを単位として処理を実行する。
【００６４】
データ結合は、変調データのマッピング規則をデータ・ビットから変調シンボルのコンステレーション点に実際に変更する。説明のために、同一の変調信号の結合により生じたコンステレーションの変化を最初に説明する。図７は、２個のＱＰＳＫシンボルのＸＯＲにより生じたコンステレーションの変位を示す。図７に示されるように、ＸＯＲが実行される２つのＱＰＳＫシンボルのビット・シーケンスは、｛ａ０，ａ１｝及び｛ｂ０，ｂ１｝である。｛ａ０，ａ１｝＝｛０，０｝のとき、式（１）のＸＯＲの結果は、図７の（ａ）に示される通りであり、この時間において｛ｂ０，ｂ１｝は標準のGray  QPSKマッピングである。｛ａ０，ａ１｝＝｛０，１｝、｛１，０｝、｛１，１｝のとき、ＸＯＲ後の対応するコンステレーションは、それぞれ図７の（ｂ）、（ｃ）及び（ｄ）に示す通りである。図７の（ａ）では、ビット・シーケンス｛ｂ０，ｂ１｝＝｛０，０｝に対応する変調シンボルは、右上隅の白い円である。一方で、図７の（ｂ）では対応するマッピング位置は右下隅に変更される。
【００６５】
｛ｂ０，ｂ１｝がローカル基準データとして設定される場合、異なるビット・シーケンス｛ａ０，ａ１｝に対し、ビットＸＯＲ演算は標準ＱＰＳＫコンステレーション点及び対応するビットを再マッピングすることと等価である。例えば、図７の（ｂ）から（ａ）に関しては位置が上から下へ変更され、図７の（ｃ）から（ａ）に関しては位置が左から右へ変更される。一方で、図７の（ｄ）から（ａ）に関しては位置が斜めに又は上から下へ且つ左から右へ変更される。従って、受信端では、所望の信号を分離するための逆ＸＯＲ演算の処理は、再マッピングのための逆処理である。図７を例に取ると、｛ｂ０，ｂ１｝信号の検出及び受信は、異なるローカル基準信号｛ａ０，ａ１｝に従って異なるデマッピング・コンステレーションを用いるためである。例えば、図７の（ａ）は、｛ａ０，ａ１｝＝｛０，０｝のときの復調及び判断のために用いられる。
【００６６】
図７から分かるように、コンステレーションが比較的単純なＱＡＭ変調に関する場合には、ビットＸＯＲの結合処理は、標準のＱＡＭ変調のコンステレーション点を再マッピングすることと等価であり、変更されるのはマッピング規則のみである。
【００６７】
図１０は、ＱＰＳＫシンボル及び１６ＱＡＭシンボルの結合により生じた１６ＱＡＭシンボルのコンステレーションの変位を示す。
【００６８】
図１０に示されるように、例えば、図１０の（ａ）は標準の１６ＱＡＭ  Ｇｒａｙマッピングを示し、図１０の（ｂ）は変更されたマッピングを示し、各コンステレーション点の数字は対応するビット・シーケンスを表し、０−１５はそれぞれ｛０，０，０，０｝−｛１，１，１，１｝に１対１で対応する。図から分かるように、図１０の（ｂ）では、変調コンステレーション・シンボルとビット・シーケンスの対応するマッピング位置は、変更されている。結合制御ユニット８０７は、結合されるべき信号の２つのブランチの変調モードに従ってマッピング規則を決定し、マッピング規則をデータ結合ユニット８０８に提供する。マッピング規則は、結合されるべき信号の２つのブランチの変調モードに従って予め定められてよい。
【００６９】
以下に、図９を参照して受信端における処理を説明する。
【００７０】
２つのリンクの受信端が中継局から送信された結合データを受信した後、ローカルに格納された既に送信されたデータ・シーケンスの複製に従って、ローカルの元のデータが結合データから除去され、受信されるべきデータが得られる。転送された結合信号とローカル信号のＭＣＳフォーマットは、中継システムの受信端末（基地局及び移動局）に知られている。
【００７１】
結合データ（高次で変調された結合データ、つまり受信されるべき通信パーティのデータの変調次がローカルの変調次よりも高い）に関して、該結合データの変調次はローカル信号及び結合データ（低次で変調された結合データ、つまり受信されるべき通信パーティのデータの変調次がローカルの変調次よりも低い）の変調次よりも高く、該ローカル信号及び結合データの変調次は、ローカル信号の変調次よりも高くない。結合データの受信及び分離は、同一でないか又は同一かの何れかであってよい。
【００７２】
高次で変調された結合データの統計的特性及び平均電力は、変更されない。何故なら、ビットからシンボルのコンステレーション点の対応する位置のみが変更され、従って、受信性能は、如何なる結合及び分離処理も実行されない一般的な通信システムの等価な変調受信機の性能と同一であるからである。一方で、低次で変調された結合信号に関しては、結合データは、シンボル間の距離及び平均電力のようなパラメータが変更されるので、性能も変更される。特定のマッピング・チャートは図１１に示され、以下に説明される。従って、結合データの分離は、高次で変調された結合データの場合と低次で変調された結合データの場合とで異なってよい。
【００７３】
図９は、本発明の一実施形態によるデータ分離装置を示すブロック図である。本実施形態のデータ分離装置は、高次で変調された結合データと低次で変調された結合データに対して異なる受信及び処理モードを用いる。
【００７４】
図９の（ａ）に示されるように、データ分離装置は、復調分離ユニット３００、復号化ユニット３０１、分離制御ユニット３０２、及び決定ユニット３０３を有する。復号化ユニット３０１は、従来の通信システム内の復号化ユニットと同じでよい。復調分離ユニット３００は、受信信号から通信パーティからのデータを得る。特に、復調分離ユニット３００は、受信信号から通信パーティにより送信されたデータを復調し抽出する機能を実現する。復調分離ユニット３００は、検出ユニット３００１、判断ユニット３００２、及びシンボル分離ユニット３００３を有する。決定ユニット３０３は、受信信号が高次で変調された結合信号か又は低次で変調された結合信号かを決定する。分離制御ユニット３０２は、シンボル分離ユニットにより分離処理を実行するために用いられるべきマッピング規則を決定する。復調分離ユニット３００は、以下に詳細に説明される。
【００７５】
中継局からの結合信号を受信すると、決定ユニット３０３は、受信信号が高次で変調された結合信号か又は低次で変調された結合信号かを決定する。例えば、決定ユニット３０３は、受信した結合信号の変調モードを送信したローカル信号の変調モードと比較し、受信した結合信号の変調モードがローカル信号の変調モードより高いか又は等しいときは、受信信号を高次で変調された結合信号と決定し、その他の場合には受信した結合信号を低次で変調された結合信号と決定する。決定ユニット３０３が受信信号を高次で変調された結合信号と決定した場合、復調分離ユニット３００の内部モジュール間の関係及び復調分離ユニット３００と分離制御ユニット３０２との間の関係は、図９の（ｂ）に示される。他方で、決定ユニット３０３が受信信号を低次で変調された結合信号と決定した場合、復調分離ユニット３００の内部モジュール間の関係及び復調分離ユニット３００と分離制御ユニット３０２との間の関係は、図９の（ｃ）に示される。図９の（ｂ）及び（ｃ）を参照して以下に更に詳細に説明する。
【００７６】
高次で変調された結合データの受信は、先ず、図９の（ｂ）を参照して以下に説明される。検出ユニット３００１は、受信信号に対してシンボル検出を実行し、検出したシンボルを判断ユニット３００２へ出力する。検出及び判断は、一般的な通信システムの復調ユニットの機能と完全に同一である。一般的な通信システムの方法のように、判断ユニット３００２は、ハード判断及びソフト判断の２つのモードを用いる。ハード判断の結果は、０／１に等しい整数であり、１ビットに直接対応する。例えば、検出結果は、図１２の（ａ）の「ｘ」により示されるような雑音を有する複素数である。ハード判断中、判断装置は、検出結果に最も近い変調コンステレーション点に対応するビット・シーケンスを出力として直接用いる。図１２の（ａ）に示されるように、判断装置のハード判断の結果は｛１，０，１，０｝である。一方で、ソフト判断の結果は、ビットが１又は０に等しいことを示す確率値であり、この数値は実数である。図１２の（ａ）に示される１６ＱＡＭ変調に関しては、判断装置からの出力は、｛Ｌ３，Ｌ２，Ｌ１，Ｌ０｝である。
【００７７】
分離制御ユニット３０２は、ローカル信号の変調モードに従う逆マッピング規則、及びシグナリングにより決定される通信パーティの信号の変調モードを決定する。つまり、分離制御ユニット３０２は、シンボルからビットへのマッピング規則を決定する。換言すると、分離制御ユニット３０２は、どのようにシンボルをビットへマッピングし分離するかを決定する。シンボル分離ユニット３００３は、分離制御ユニットにより提供される逆マッピング規則に従って判断装置３００２からの出力に対して分離処理を実行する。シンボル分離ユニット３００３では、高次で変調された結合データに対する分離処理は、ビット−コンステレーション点のコンステレーションへの再マッピングと等価である。
【００７８】
特に、判断装置３００２によるハード判断のビット整数値の出力に関して、例えば、式（３）乃至（６）の結合の具体例では、ローカル信号が｛ａ０，ａ１｝のとき、対応する高次（１６ＱＡＭ）で変調されたデータは、式により実現され、シンボル分離ユニット３００３の対応するビット分離処理は、それぞれ次の通りに表される。
【数８】
2010187375.tif 000011
ここで、ｃｉ，ｉ＝０，１，２，３は、判断装置３００２から出力される結合情報ビットである。
【数９】
2010187375.tif 000012
は分離後の所望の情報ビットである（一般的な通信システムの表現のように、受信したデータ
【数１０】
2010187375.tif 000013
は三角形（「＾」）が追加され、送信元のデータ・シーケンス｛ｂｉ｝と区別される）。また、ａｉ，ｉ＝０，１はローカル基準ビットである。
【００７９】
図９の（ｂ）の判断ユニット３００２からの出力がソフト・ビット情報（１つのビットが１つの実数値に対応する）である場合、ＸＯＲ処理に対する逆分離処理は、ソフト情報数値を維持することと等価であり又は処理を無視することと等価である。例えば、このときの１６ＱＡＭシンボルのビットのソフト判断の出力が｛Ｌｃ０，Ｌｃ１，Ｌｃ２，Ｌｃ３｝であり、ローカル基準信号が｛ａ０，ａ１｝であるとすると、式（３）乃至（６）に対応する分離ユニット３００３の逆分離処理は、以下の通りになる。
【数１１】
2010187375.tif 000014
ここで、Ｌｃｉ，ｉ＝０，１，２，３は、判断装置３００２から出力されたビット・ソフト情報の数値である。Ｌｂｉ，ｉ＝０，１，２，３は、分離後の所望の情報ビットのソフト情報数値である。ａｉ，ｉ＝０，１は、ローカル基準ビットである。また、ｓｇｎ（ａｉ）はａｉの正及び負のシンボル関数であり、次のように表される。
【数１２】
2010187375.tif 000015
【００８０】
ｓｇｎ（ａｉ）のために、判断されたソフト情報に対してネゲート処理を実行する必要があるか否かが決定される。また、コンステレーションに関して、ビットからコンステレーション点へのマッピング規則を変更するか否かが決定される。分離されたソフト・ビット情報｛Ｌｂｉ｝は、復号化のために復号器３０１へ送信される。ソフト判断及びハード判断は、ソフト情報の復号化性能がハード判断の結果より良いという点で互いに異なる。従って、多くの実際の復号器は、ソフト・ビット情報を用いて復号化する。本発明の方法は、データ分離並びにハード判断及びソフト判断の両方の復号化処理に対応する。
【００８１】
低次で変調された結合データの受信は、図９の（ｃ）を参照して以下に説明される。図９の（ｃ）のブロック図は、検出したデータが最初に分離されるのか又は最初に判断されるのかという点のみが図９の（ｂ）のブロック図と異なる。図９の（ｃ）では、検出されたデータは最初に分離処理を実行される。高次変調データ（例えば、１６ＱＡＭ−ＱＰＳＫの変調対の１６ＱＡＭデータ）に関し、分離は、コンステレーション点と元の標準コンステレーションのビットとの間のマッピング関係を変更することと等価である。
【００８２】
図１０に示されるように、標準１６ＱＡＭ  Ｇｒａｙマッピングは図１０の（ａ）に示され、変更された具体例の対応するビット・コンステレーション点のシンボルのマッピングは、つまり式（５）のビットＸＯＲに従い、ローカル基準信号｛ａ１，ａ０｝＝｛０，１｝、｛１，０｝、｛１，１｝のとき、それぞれ図１０の（ｂ）、（ｃ）、（ｄ）に示される（ここで（ａ）は｛ａ１，ａ０｝＝｛０，０｝の状況を示す）。このとき、検出のために出力されたシンボルと等価である対応する分離処理は、元の標準コンステレーション・マッピング・チャートの代わりに新たなマッピング・チャートを用い、そして判断のために判断装置へ送信される。コンステレーション・チャートが変更されるだけなので、判断装置３００３の方法は変更されないままである。
【００８３】
図９の（ｃ）で低次で変調された結合データの受信の原理は、以下に説明される。低次で変調された結合データは、高次で変調された結合データと同様に受信され処理される。２つの結果の間の差異は、シンボル分離ユニット３００３により提供されるコンステレーション・マッピング・チャートが、高次変調コンステレーションの一部のコンステレーション点を有する低次コンステレーション点のセットであるという点にある。例えば、１６ＱＡＭ−ＱＰＳＫの結合に関し、本願明細書は、式（３）乃至（６）の例の中の式（５）の具体例の結果を記載する。
【００８４】
図１１の（ａ）乃至（ｑ）は、ローカル基準１６ＱＡＭシンボル｛ｂ０，ｂ１，ｂ２，ｂ３｝が｛０，０，０，０｝から｛１，１，１，１｝に変化するときに、式（５）に従い、ローカルの元のデータを有するＱＰＳＫの４個のシンボル｛ａ０，ａ１｝＝（｛０，０｝，｛０，１｝，｛１，０｝，｛１，１｝）にＸＯＲを実行することにより得られたビット・シーケンス｛ｃ０，ｃ１，ｃ２，ｃ３｝の１６ＱＡＭコンステレーションのマッピング・チャートをそれぞれ提供する。異なる陰影を有する４個のコンステレーション点は、ＱＰＳＫの４個のコンステレーション点の１６ＱＡＭコンステレーションへのマッピングを示す。このとき、分離制御ユニット３０２は、変調モードの組み合わせに従って逆マッピング規則を提供する。シンボル分離ユニット３００３は、逆マッピング規則に従って対応するマッピング・チャートを生成する。逆マッピング規則では、マッピングは、論理回路を介して又はルックアップ・テーブルのモードのメモリからの読み出しの何れかにより実現されてよい。
【００８５】
次に、判断装置３００２は、マッピング・チャートに従ってデータを判断する。このときの判断は、マッピング・モード（チャート）の変化のみが一般の判断装置と異なる。与えられる具体例では、ローカル信号が００００であり、対応するマッピング・チャートが図１１の（ａ）に示されるとき、分離及び判断処理は図１２の（ｂ）に示される。
【００８６】
図１２の（ｂ）の「ｘ」は、図９の（ｃ）の検出ユニット３００１から出力された雑音を有する１６ＱＡＭシンボルを表す。また、４個の陰影を付けられたコンステレーション点は、ＱＰＳＫシンボルの１６ＱＡＭコンステレーションへのマッピングを表す（マッピング・チャートはシンボル分離ユニット３００３により提供される）。このときの判断は、４個の陰影を付されたコンステレーション点と検出出力シンボル「ｘ」との間の距離に従って実行される。図１２の（ｂ）の場合、ハード判断の結果は｛ａ０，ａ１｝＝｛１，０｝である。ソフト判断の結果は、検出出力シンボルと４個のマッピングされたコンステレーション点との間の距離の判断及び計算の結果である。例えば、ソフト情報を計算するある方法は、以下の通りである。
【数１３】
2010187375.tif 000016
ここで、Ｌａｉ，ｉ＝０，１は判断装置３００２から出力されたビット・ソフト情報の数値であり、ｄｉｊはビット・シーケンスがｉｊであるコンステレーションと検出シンボル「ｘ」との間のユークリッド距離を示し、σ２は雑音電力である。
【００８７】
式（１６）及び（１７）は、標準ソフト情報計算方法を目的としている。ソフト情報を計算するための他の簡単な方法もある。従来の方法は、マッピング・チャートに従って検出及び判断する方法として用いられてよい。判断ユニット３００２の判断結果は、復号化ユニット３０１に入力され、復号化ユニット３０１により復号化される。
【００８８】
このモードは、図９の（ｂ）でマッピング・モードを変更する前に先ず判断するのに対して、判断する前に先ずマッピング・モードを変更する。このモードは、高次で変調されたデータに対する処理段階の順序の単なる変更であり、データ処理の結果は変更されない。従って、図９の（ｃ）は、低次で変調された結合データの受信に対応するだけでなく、高次で変調された結合データの受信にも対応する。従って、本発明は、別の実施形態において受信機を提供する。該受信機の例である構造は図９の（ｃ）に示される。図９の（ｃ）は既に説明したので、ここでは繰り返さない。しかしながら、留意すべき点は、このモードの使用は、受信した信号が高次で変調された結合信号か否かを決定することを不要にする。従って、決定ユニット３０３は必要ない。
【００８９】
留意すべき点は、図示されないが、本発明の（基地局又は移動局のような）通信装置は、送信ユニット及び格納ユニットを更に有することである。送信ユニットは変調信号を送信し、変調信号は送信されると格納ユニットにローカルの元の信号として格納される。これらのユニットの実現は当業者に知られているので、ここでは繰り返されない。
【００９０】
＜符号器を用いないデータ転送＞
前述のように、本発明のデータ結合及び分離処理は主に変調モードに基づくので、当該方法は無線システムにおける中継及び天昇の処理にも適用可能である。図１３に示されるように、中継局では、データが復調された後に特定のマッピング規則に従ってシンボル結合が実行され、次に再び変調された後に送出される。図１３の基準数値１０４４により示されるブロックは、図８の結合制御ユニット８０７及びデータ結合ユニット８０８を表すが、結合制御ユニット８０７はもはや符号化モードを決定しない。これらのユニットの動作は既に説明したので、ここでは繰り返さない。
【００９１】
如何なる符号器もない状況では、受信端でのシンボル分離処理は、図１４から分かる。図９の（ｂ）及び（ｃ）の場合と同様に、図１４の（ａ）は、高次で変調されたデータの受信への適用に適しており、先ず判断し次に分離することが可能である。しかしながら、図１４の（ｂ）は統合された受信機のブロック図であり、該受信機により判断より先に先ずマッピング・チャートに従って分離が実行される。データ分離処理は、図９に示された構成要素部分の処理と同様であり、復号化ユニットがない点のみが異なる。
【００９２】
これも、本発明の一実施形態である。
【００９３】
＜マッピング・モード＞
前述のデータ結合及び分離処理から分かるように、データ結合は、異なる変調データの再マッピング処理と等価である。つまり、低次で変調されたデータの場合は、低次で変調されたコンステレーション点を高次で変調されたコンステレーション点にマッピングすることであり、高次で変調されたデータの場合は、コンステレーション点の再マッピング処理と等価である。
【００９４】
上述の式（５）を例にとると、１６ＱＡＭは、１６個のコンステレーション点を有し、ＱＰＳＫは４個のコンステレーション点を有する。両者の結合の後のコンステレーション・セットは６４個の候補を有するので、図１０に示されるように１６ＱＡＭでは４個の分離チャートがあり、図１１に示されるようにＱＰＳＫでは１６個の分離チャートがある。
【００９５】
更に、ローカル信号が低次で変調され、ＢＰＳＫ又はＱＰＳＫであるが、受信された信号が高次で変調される受信機では、ＢＰＳＫ及びＱＰＳＫの両者はモジュロが一定の変調であり（モジュロ値は１である）、単純なビット・シーケンスを有するので、高次で変調されたコンステレーション・シンボルの平均電力及び統計的特性は、高次で変調されたシンボルがＢＰＳＫ又はＱＰＳＫシンボルと結合されるときに変更されない。従って、受信機の性能は、結合及び分離処理を有さない等価な変調システムと同じである。例えば、１６ＱＡＭ信号を受信する受信端では、１６ＱＡＭコンステレーションの平均信号対雑音比がＸＯＲ演算によって変化しないので、受信性能（パケット誤り率）は、結合及び分離処理を有さない場合の受信性能と同じである。
【００９６】
しかしながら、低次で変調され結合処理を実行されたデータ（例えば、ＱＰＳＫ−１６ＱＡＭ結合信号のＱＰＳＫ信号）の場合、又は高次で変調された２つのデータの結合（例えば、６４ＱＡＭ−１６ＱＡＭの結合）の場合には、コンステレーション点の平均電力は結合後に変更されているので、受信機の性能は、結合及び分離処理を有さない場合の受信機の性能と異なる。
【００９７】
ビットＸＯＲは、マッピング・チャートを変更する処理でもあり、異なるＸＯＲモードは異なるマッピング規則を表す。
【００９８】
図１５は、式（４）のマッピング・チャートの例を示す。ＱＰＳＫマッピング・チャートは、ローカル基準１６ＱＡＭ信号が｛０，０，０，０｝、｛０，０，０，１｝及び｛０，１，０，１｝のときにのみ提供される。他のチャートは式（４）から得られる。
【００９９】
図１６は、式（６）のマッピング・チャートの例を示す。３つのＱＰＳＫマッピング・チャートは、ローカル信号が｛０，０，０，０｝、｛０，０，０，１｝及び｛０，１，０，１｝のときにも提供される。
【０１００】
図１１乃至図１５から分かるように、異なる変調シンボルが結合されるとき、低次変調の高次変調コンステレーションへのマッピングは、マッピング規則が異なるために、異なるマッピング・チャートを有する。マッピング・チャート毎に、低次変調のマッピングの後にシンボル間のユークリッド距離が異なるとき、耐雑音性能も異なる。換言すると、異なるマッピングは、異なる符号誤り率性能をもたらす。図１１では、ＱＰＳＫの１６ＱＡＭコンステレーションへのマッピングは、全て２つの基本形を有する。また、他のチャートはこれら２つのチャートのコンステレーション点の回転及び交換のような処理である。
【０１０１】
符号化理論の一般的な原理によると、任意の２つのランダムなシンボル間の最小ユークリッド距離が最大であるコンステレーション・セットは、最も大きい対雑音性能を有する。従って、異なる変調シンボルの結合のための特定の設計基準に従って最良のマッピング・モードを見付けることも可能である。問題は、（ＱＰＳＫのような）低次シンボルを（１６ＱＡＭのような）高次シンボルの空間にマッピングする構造を発見することになる。構造は、（各コンステレーション点の均等な確率分布を保証するために）高次シンボルの空間全域に渡り、シンボル間の最小ユークリッド距離の最大値（最大の耐干渉性能）を有する。シンボル間の最小ユークリッド距離の最大値を有するマッピングを発見するために、シンボルはマッピング・モードの第１の設計基準である。
【０１０２】
コードワード設計基準では、前述の最小ユークリッド距離の最大値の基準の他に、コンステレーション・セット内で最小ユークリッド距離を有するシンボル対の最大数のような測定基準もある。例えば、２つのマッピング・モードの最小ユークリッド距離が等しいとき、最小ユークリッド距離を有するシンボル対がより少ないコンステレーション・セットは、シンボル対がより多いコンステレーション・セットよりも良好な性能を有する。
【０１０３】
前述の式（３）乃至（６）のＸＯＲ演算は、データ結合を実現する唯一の具体例である。式（３）乃至（６）のＸＯＲ演算モードのマッピングは、実際のシステムではＸＯＲにより直接に実現されてよい。異なる変調モードの結合は、ハードウェア・モジュール又はソフトウェアを実現するときに異なるマッピング構造を有する。異なる変調データの結合は、ルックアップ・テーブル等のような他のモードによって実行されてもよい。ある種類のマッピングが明らかなＸＯＲ又は他の式により直接実現されえないとき、ルックアップ・テーブルのモードを使用してデータ結合を実行することが可能である。つまり、異なる変調シンボルの２つの明確なビット・シーケンスに対し、それらビット・シーケンスの対応するマッピング・シンボルはルックアップ・テーブルを介して得られる。マッピング構造がＸＯＲかルックアップ・テーブルかに拘わらず、データ結合及び分離処理が２つの変調データ・シンボルに関して１対１に対応する限り、マッピング構造は受信側及び送信側の両方に知られている。図１７のマッピングを例に取ると、任意のランダムなＱＰＳＫ及び１６ＱＡＭシンボルの対の結合の後に生成された１６ＱＡＭシンボルは表２に示される。
【０１０４】
［表２］マッピング・ルックアップ・テーブル
【表２】
2010187375.tif 000017
【０１０５】
表２のデータ結合に関し、対応する明確な式又はＸＯＲ演算がないので、受信端の分離処理も、ルックアップ・テーブルに基づき、ローカル基準信号が対応するマッピングを決定するべきである。
【０１０６】
このようなルックアップ・テーブルは、式（３）乃至（６）に対しても提供されてよい。前述のように、ＸＯＲ及びルックアップ・テーブルの２つの可能なデータ結合モードのみが本願明細書で例に挙げられるが、他の実現可能な処理の例も存在するので、ＸＯＲ処理は排他的なマッピング・モードではない。
【０１０７】
本発明の方法の変形として、本願明細書は、図１８に示すように、式（４）、（５）及び（６）に対応する分離処理の２つのデータ受信端における１６ＱＡＭ及びＱＰＳＫに関するパケット誤り率曲線を提供する。中継局が２つの発信元データ情報を正確に受信しているシミュレーションを想定する。ＱＰＳＫ−４曲線は、式（４）のハイブリッド変調におけるＱＰＳＫのパケット誤り率を表す。１６ＱＡＭ−６曲線は、式（６）のハイブリッド変調における１６ＱＡＭのパケット誤り率を表す。また、ＱＰＳＫは一般的なＰＳＫ変調性能を表す。以上のように、異なるマッピング・モードでは、１６ＱＡＭデータの受信性能は一般的な通信システムの受信性能と同じだが、ＱＰＳＫの受信性能は異なるマッピング・モードの変化とともに変化する。これら３つのマッピング・モードの中で、式（５）の性能が最良である。
【０１０８】
他のＰＳＫ及びＱＡＭ変調モードのデータ結合及び分離処理は、上述の方法と同様である。可能なビットＸＯＲモードの特定の式が以下に与えられる。ＱＰＳＫ（｛ａ０，ａ１｝）−６４ＱＡＭ（｛ｂ０，ｂ１，ｂ２，ｂ３，ｂ４，ｂ５｝）の結合処理のための式は次の通りである。
【数１４】
2010187375.tif 000018
【０１０９】
以下の式は、１６ＱＡＭ（｛ａ０，ａ１｝）−６４ＱＡＭ（｛ｂ０，ｂ１，ｂ２，ｂ３，ｂ４，ｂ５｝）の結合のために用いられてよい。
【数１５】
2010187375.tif 000019
【０１１０】
以下の式は、ＱＰＳＫ（｛ａ０，ａ１｝）及びＢＰＳＫ（｛ｂ｝）の結合のために用いられてよい。
【数１６】
2010187375.tif 000020
【０１１１】
ＱＰＳＫ及びＢＰＳＫはモジュロ一定の変調なので、ＸＯＲ演算は高次で変調された結合データの受信性能に影響を与えない。１６ＱＡＭ−６４ＱＡＭシンボル対の場合を除いて、低次で変調されたデータ（１６ＱＡＭ）の平均電力は、本願明細書ではハイブリッド変調及びシンボルの結合がビット・シーケンスのＸＯＲにより実現されるときに変更されうる。従って、受信性能も影響をうけるだろう。同様に、複数の可能なマッピング・モードに対して、良好な性能を有する１又は複数のモードを発見することが可能である。理論解析方法又はコンピュータ検索方法が、良好なマッピング・モードを発見するために用いられてよい。
【０１１２】
図１９は、本発明の一実施形態によるデータ中継方法を示すフローチャートである。
【０１１３】
図１９に示されるように、最初に段階１９０１で、第１の復調ユニット８０１は、第１の送信元からの変調信号を復調する。第１の送信元からの変調信号の変調モードは第１の変調モードである。同時に又はその後に、段階１９０２で、第２の復調ユニット８０２は、第２の送信元からの変調信号を復調する。第２の送信元からの変調信号の変調モードは、第１の変調モードより変調次の高い第２の変調モードである。段階１９０１及び１９０２と同時又はこれらの段階の後の段階１９０３では、結合制御ユニットは、結合制御段階を実行する。つまり、結合制御ユニットは、第１の送信元からの変調信号の変調モード及び第２の送信元からの変調信号の変調モードに従い用いられるべきマッピング規則を提供する。また、マッピング規則は、復調された第１の送信元からの変調信号及び復調された第２の送信元からの変調信号を、第２の変調モードのシンボルのコンステレーションにどのように一緒にマッピングするかという規則である。最後に、データ結合段階１９０４で、データ結合ユニットは、復調された第１の送信元からの変調信号及び復調された第２の送信元からの変調信号に対して、結合制御ユニットにより提供されたマッピング規則に従ってデータ結合を実行する。
【０１１４】
更に、第１の送信元からの変調信号が符号化信号であるとき、段階１９０４は第１の復号化段階及び第１の符号化段階も有してよい。第１の復号化段階で、第１の送信元からの変調信号は復号化され、第２の符号化段階で、第１の復号化段階で復号化された信号が再符号化される。再符号化で用いられる符号化モードは、第１の送信元からの変調信号を符号化する元のモードと異なってよい。
【０１１５】
更に、第２の送信元からの変調信号が符号化信号であるとき、段階１９０４は第２の復号化段階及び第２の符号化段階も有してよい。第２の復号化段階で、第２の送信元からの変調信号は復号化され、第２の符号化段階で、第２の復号化段階で復号化された信号が再符号化される。再符号化で用いられる符号化モードは、第２の送信元からの変調信号を符号化する元のモードと異なってよい。
【０１１６】
図２０は、本発明の一実施形態によるデータ分離方法を示すフローチャートである。図２０に示されるように、最初に送信段階２００１で、第１の変調モードの変調信号又は第２の変調モードの変調信号が送信される。第２の変調モードは第１の変調モードよりも変調次が高く、送信信号はローカル基準信号として同時に格納される。他方で、受信段階２００２で、第２の変調モードの第２の変調データと共に第１の変調モードの第１の変調データから、結合された第２の変調モードの結合データが受信される。次に、分離制御段階２００３で、逆マッピング規則、つまり結合データ内のシンボルのコンステレーション内のコンステレーション点を受信されるべき所望の変調モードのビットにマッピングする規則が、第１の変調モード、第２の変調モード、及び送信ユニットにより送信された変調信号の変調モードが第１の変調モードか第２の変調モードかに従って、提供される。逆マッピング規則は、式により表現されうる規則であってよく、又は式により表現されえない規則であってもよい。上述のように、逆マッピング規則は、式によって表現されないとき、テーブルの形式で表現されうる。次に、復調分離段階２００４で、受信されるべき所望のデータは、分離制御ユニットにより決定された逆マッピング規則に従って結合データから分離される。
【０１１７】
図２０に示される実施形態では、復調分離段階２００４は、詳細には、検出ユニット３００１が受信信号に対してシンボル検出を実行する検出段階２００５；シンボル分離ユニット３００３が逆マッピング規則に従って結合データから受信されるべき所望のデータのシンボルのコンステレーション点を分離するシンボル分離段階２００６；及び受信されるべき所望のデータを得るために判断ユニット３００２がシンボル分離ユニットにより分離されたシンボルのコンステレーション点のビット値を判断する判断段階２００７；を有する。
【０１１８】
明らかに、上述の実施形態では、復調分離段階２００４の処理は、図９の（ｃ）内のデータ分離装置の処理と同一である。しかし、他の実施形態では、高次結合信号を低次結合信号と区別すること、及び図９の（ｂ）及び（ｃ）に示されるデータ分離装置の処理に対応する異なる処理を想定することが可能である。このような状況では、決定段階が追加され、受信信号が高次結合信号か低次結合信号かを決定する。これは、図９の（ｂ）、（ｃ）及び図２０に関して、これらの段階が実現可能であることが明らかに分かるので、これらはここで重複して説明されない。
【０１１９】
本発明の実施形態によると、２つのリンクの信号対雑音比が互いに大きく異なるとき、システムの送信能力を向上させるために、スループットの不均衡を見事に整合することが可能である。本発明は、ネットワーク通信のような他の適切なシナリオにも提供可能である。
【符号の説明】
【０１２０】
８０１  第１の復調ユニット
８０２  第２の復調ユニット
８０３  第１の復号化ユニット
８０４  第２の復号化ユニット
８０５  第１の符号化ユニット
８０６  第２の符号化ユニット
８０７  結合制御ユニット
８０８  データ結合ユニット
８０９  変調ユニット
８１０  送信ユニット
３００１  検出
３００２  判断
３００３  シンボル分離
３０１  復号化
３０２  分離制御
３０３  決定ユニット
４００１  検出
４０１  シンボル分離
４００２  判断
４０２  分離制御
【図１】
2010187375.tif 000021
【図２】
2010187375.tif 000022
【図３】
2010187375.tif 000023
【図４】
2010187375.tif 000024
【図５】
2010187375.tif 000025
【図６】
2010187375.tif 000026
【図７】
2010187375.tif 000027
【図８】
2010187375.tif 000028
【図９】
2010187375.tif 000029
【図１０】
2010187375.tif 000030
【図１１】
2010187375.tif 000031
【図１２】
2010187375.tif 000032
【図１３】
2010187375.tif 000033
【図１４】
2010187375.tif 000034
【図１５】
2010187375.tif 000035
【図１６】
2010187375.tif 000036
【図１７】
2010187375.tif 000037
【図１８】
2010187375.tif 000038
【図１９】
2010187375.tif 000039
【図２０】
2010187375.tif 000040